(57)【要約】      （修正有）【課題】操作性を維持したまま防水性を確保しつつ部品点数を削減し、組立て性の向上及びコストの低減を図る携帯無線機を提供する。【解決手段】フロントカバー３１とシャーシ３０とでケース３４が組立てられる携帯無線機３３であって、前記シャーシにスイッチ５３が実装された配線基板５１が設けられ、前記フロントカバーの外側側面に前記ケース内部に延出する押下部３９を有する弾性体のボタン３５が水密に取付けられ、前記押下部が前記スイッチに当接又は略当接する。【選択図】図２
2012199867.tif 000002
【特許請求の範囲】
【請求項１】
フロントカバーとシャーシとでケースが組立てられる携帯無線機であって、前記シャーシにスイッチが実装された配線基板が設けられ、前記フロントカバーの外側側面に前記ケース内部に延出する押下部を有する弾性体のボタンが水密に取付けられ、前記押下部が前記スイッチに当接又は略当接することを特徴とする携帯無線機。
【発明の詳細な説明】
【技術分野】
【０００１】
本発明は、押しボタン構造を有する装置、特に押しボタン構造を有する携帯無線機に関するものである。
【背景技術】
【０００２】
先ず、図４〜図６に於いて、従来の携帯無線機の構造について説明する。尚、図５は図４（Ｂ）のＣ−Ｃ矢視図、図６は図４（Ｂ）のＤ−Ｄ矢視図を示している。
【０００３】
フロントカバー１とシャーシ１１とで携帯無線機３のケース４が組立てられ、該ケース４に電池パック２を取付けることで前記携帯無線機３が組立てられる。
【０００４】
前記フロントカバー１の正面にはＬＣＤ（Ｌｉｑｕｉｄ  Ｃｒｙｓｔａｌ  Ｄｉｓｐｌａｙ）等の表示部（図示せず）や、テンキー等の入力部（図示せず）が設けられ、又側面には送信時に使用されるＰＴＴ（Ｐｕｓｈ  ｔｏ  Ｔａｌｋ）ボタン５や、機器の設定等で使用されるガイドボタン６が設けられており、前記ＰＴＴボタン５や前記ガイドボタン６はポリアミド等の硬性樹脂やシリコンゴム等のエラストマにより成形される。
【０００５】
前記ＰＴＴボタン５及び前記ガイドボタン６は、それぞれボタンカバー７に設けられている。該ボタンカバー７は予め形成された溶着用突起が超音波により溶融されることで前記フロントカバー１の外側側面に溶着される。前記ＰＴＴボタン５及び前記ガイドボタン６は前記ボタンカバー７を介して前記フロントカバー１に取付けられる。前記ＰＴＴボタン５及び前記ガイドボタン６は、それぞれ前記フロントカバー１の内部迄延出する押下部８，９を有している。
【０００６】
又、前記ケース４の内部では、ダイカストにより製作されたシャーシ１１が前記フロントカバー１にネジ等で固着され、該フロントカバー１、前記シャーシ１１間には防水パッキン１２が圧縮された状態で介在している。
【０００７】
前記シャーシ１１の側面の所定箇所には所定数の孔１３が形成され、該孔１３を覆う様前記シャーシ１１にスイッチパッキン１４が取付けられている。前記シャーシ１１には前記孔１３の周縁に側方への突出部１５が環状に形成され、該突出部１５の周囲に同心で環状の凹溝１０が形成され、前記スイッチパッキン１４の周囲には環状のシール部１６が形成されると共に、該シール部１６の中心には押下部１７が一体形成されている。前記シール部１６が前記凹溝１０に圧入され、前記孔１３に前記押下部１７が挿入されることで、前記シャーシ１１に前記スイッチパッキン１４が取付けられると共に、前記シール部１６が前記凹溝１０に圧入されることで防水性が確保されている。又この時、前記スイッチパッキン１４の外部への露出面、即ち前記押下部１７と対峙する部位には、前記押下部８，９の先端が当接している。
【０００８】
又、前記ケース４内には、ＬＣＤ基板１８とＲＦ（Ｒａｄｉｏ  Ｆｒｅｑｕｅｎｃｙ）基板１９との間に基板間シールドケース２１が設けられている。該基板間シールドケース２１には、フレキシブルプリント基板（ＦＰＣ）２２が両面テープにて固着され、該ＦＰＣ２２にスイッチ２４が実装されており、該スイッチ２４は前記押下部１７の先端と接している。
【０００９】
又、前記ＦＰＣ２２は前記ＬＣＤ基板１８上に実装された図示しないコネクタに接続され、前記ＬＣＤ基板１８と前記ＲＦ基板１９とがコネクタを介して接続されており、前記ＬＣＤ基板１８、前記ＲＦ基板１９、前記基板間シールドケース２１はそれぞれネジ等で前記シャーシ１１に固定されている。
【００１０】
前記携帯無線機３に於いて、例えば前記ＰＴＴボタン５を押下した際には、前記押下部８が前記スイッチパッキン１４を押圧し、該スイッチパッキン１４を介して前記スイッチ２４が押下され、該スイッチ２４が動作する。
【００１１】
前記ＰＴＴボタン５が開放されると、前記スイッチ２４の反発力及び前記スイッチパッキン１４の反発力により前記押下部８が押返され、前記ＰＴＴボタン５の位置が元に戻り、前記スイッチ２４の動作が解除される。前記ガイドボタン６の場合も前記ＰＴＴボタン５と同様である。又、該ＰＴＴボタン５及び前記ガイドボタン６と前記フロントカバー１との間に、クッション等の弾性部材を介在させ、前記ＰＴＴボタン５及び前記ガイドボタン６に対する反発力を高める場合もある。
【００１２】
然し乍ら、従来の前記携帯無線機３の場合、前記ＰＴＴボタン５或は前記ガイドボタン６から前記スイッチ２４に至る迄の構成部品が多い為、組立てのばらつきにより前記押下部１７の中心位置と前記スイッチ２４の中心位置がずれ、操作感の悪化等が発生する場合がある。又、前記押下部１７と前記スイッチ２４の中心位置が一致する様部品の精度を上げると、部品の歩留りが悪化し、部品コストの増加を招くという問題があった。
【００１３】
更に、従来の携帯無線機３は、前記ボタンカバー７を超音波溶接にて前記フロントカバー１に溶着させる為、該フロントカバー１に曲面が多い場合には均一に圧力を掛けることが難しくなり、溶着強度のばらつきが出る可能性があった。
【先行技術文献】
【特許文献】
【００１４】
【特許文献１】特開２００２−２７１０４７号公報
【発明の概要】
【発明が解決しようとする課題】
【００１５】
本発明は斯かる実情に鑑み、防水性を確保しつつ部品点数を削減し、組立て性の向上及びコストの低減を図る携帯無線機を提供するものである。
【課題を解決するための手段】
【００１６】
本発明は、フロントカバーとシャーシとでケースが組立てられる携帯無線機であって、前記シャーシにスイッチが実装された配線基板が設けられ、前記フロントカバーの外側側面に前記ケース内部に延出する押下部を有する弾性体のボタンが水密に取付けられ、前記押下部が前記スイッチに当接又は略当接する携帯無線機に係るものである。
【発明の効果】
【００１７】
本発明によれば、フロントカバーとシャーシとでケースが組立てられる携帯無線機であって、前記シャーシにスイッチが実装された配線基板が設けられ、前記フロントカバーの外側側面に前記ケース内部に延出する押下部を有する弾性体のボタンが水密に取付けられ、前記押下部が前記スイッチに当接又は略当接するので、防水性を確保しつつ部品点数を削減し、コストの低減を図ると共に、前記ボタンが前記スイッチと直接接触する構造としたことで、前記ボタンと前記スイッチとの位置が近くなり、前記ボタンが前記スイッチに対し均一な圧力を加えることができる為、部品点数の増加に伴う動作不良や操作感の悪化を防止することができるという優れた効果を発揮する。
【図面の簡単な説明】
【００１８】
【図１】本発明に係る携帯無線機であり、（Ａ）は該携帯無線機の左側面図、（Ｂ）は該携帯無線機の正面図を示している。
【図２】図１（Ｂ）のＡ−Ａ矢視図である。
【図３】図１（Ｂ）のＢ−Ｂ矢視図である。
【図４】従来の携帯無線機であり、（Ａ）は該携帯無線機の左側面図、（Ｂ）は該携帯無線機の正面図を示している。
【図５】図４（Ｂ）のＣ−Ｃ矢視図である。
【図６】図４（Ｂ）のＤ−Ｄ矢視図である。
【発明を実施するための形態】
【００１９】
以下、図面を参照しつつ本発明の実施例を説明する。
【００２０】
図１〜図３に於いて、本発明の実施例に係る携帯無線機の構造について説明する。尚、図２は図１（Ｂ）のＡ−Ａ矢視図、図３は図１（Ｂ）のＢ−Ｂ矢視図を示している。
【００２１】
図１に示される様に、携帯無線機３３はケース３４に電池パック３２を取付けることで組立てられる。又、前記ケース３４は一面が開放された箱形状のフロントカバー３１と、一面が開放された箱形状のシャーシ３０（後述）とで組立てられる。前記フロントカバー３１の正面には表示部（図示せず）及び入力部（図示せず）が設けられ、又側面にシリコンゴム等のエラストマにて成形されたＰＴＴボタン３５及びガイドボタン部３６が設けられている。
【００２２】
図２に於いて、前記ＰＴＴボタン３５及びその周囲の構造について説明する。該ＰＴＴボタン３５は、略長方形の外形を有し、外面に操作部が形成されると共に、内面に肉厚部３７が形成される様外縁に沿って凹溝３８が形成され、更に前記肉厚部３７より突出する押下部３９が形成されており、該押下部３９の先端は後述するＰＴＴスイッチ５３に対峙している。
【００２３】
前記フロントカバー３１の側面には、前記ＰＴＴボタン３５を嵌合可能なＰＴＴボタン取付け凹部４３が凹設され、該ＰＴＴボタン取付け凹部４３には貫通孔４４が形成されている。前記ＰＴＴボタン３５を前記ＰＴＴボタン取付け凹部４３に嵌合させた際には、前記押下部３９が前記貫通孔４４を挿通して前記フロントカバー３１内部に突出する様になっており、前記ＰＴＴボタン３５内面の外縁部と前記ＰＴＴボタン取付け凹部４３の外縁部とを両面テープにて固着することで、前記ＰＴＴボタン３５が前記フロントカバー３１に固着される。
【００２４】
又、一面が開放された箱形状の前記シャーシ３０の上面、下面、両側面の全周に亘って矩形の溝４８が刻設されており、該溝４８に防水パッキン４９が嵌設され、該防水パッキン４９の一部が前記溝４８より突出している。
【００２５】
前記シャーシ３０には配線基板であるＬＣＤ基板５１及びＲＦ基板５２がネジ等により取付けられ、前記ＬＣＤ基板５１にはＰＴＴスイッチ５３が前記押下部３９と対向する位置に実装されている。
【００２６】
前記ケース３４は、前記フロントカバー３１の開口部より前記シャーシ３０を開口部側から嵌込んだ後にネジ等により固定することで組立てられ、前記ケース３４を組立てた際には、前記押下部３９の先端面と前記ＰＴＴスイッチ５３とが当接又は略当接した状態で対峙する様になっている。
【００２７】
この時、前記防水パッキン４９が前記溝４８の底部と前記フロントカバー３１の内周面とで圧縮されることで、該フロントカバー３１と前記シャーシ３０間の防水性が確保されると共に、前記ＰＴＴボタン３５内面の外縁部と前記ＰＴＴボタン取付け凹部４３の外縁部とが両面テープにより接着されることで、前記ＰＴＴボタン３５と前記貫通孔４４間の防水性が確保され、前記ケース３４内への水の浸入が防止される。
【００２８】
図３に於いて、前記ガイドボタン部３６及びその周囲の構造について説明する。前記ガイドボタン部３６は、前記フロントカバー３１より外面に突出する操作部である円板状のガイドボタン３６ａ，３６ｂ，３６ｃ（図１参照）を有している。又、前記ガイドボタン部３６は、前記ガイドボタン３６ａ〜３６ｃの内面にそれぞれ円板状の肉厚部４１ａ〜４１ｃ（肉厚部４１ａ，４１ｃは図示せず）が独立して形成されると共に、該肉厚部４１ａ〜４１ｃの中心より内部に向って突出する押下部４２ａ〜４２ｃ（押下部４２ａ，４２ｃは図示せず）が形成されている。
【００２９】
又、該フロントカバー３１の側面には、前記ガイドボタン部３６を嵌合可能なガイドボタン部取付け凹部４５が凹設されている。該ガイドボタン部取付け凹部４５には更に前記肉厚部４１ａ〜４１ｃと対向する位置に、該肉厚部４１ａ〜４１ｃよりも大径な円板状の肉厚部収納凹部４６ａ〜４６ｃ（肉厚部収納凹部４６ａ，４６ｃは図示せず）が独立して凹設され、該肉厚部収納凹部４６ａ〜４６ｃの中心には貫通孔４７ａ〜４７ｃ（貫通孔４７ａ，４７ｃは図示せず）が形成されている。前記ガイドボタン部３６を前記ガイドボタン部取付け凹部４５に嵌合させた際には、前記押下部４２ａ〜４２ｃがそれぞれ前記貫通孔４７ａ〜４７ｃを挿通して前記フロントカバー３１内部に突出する様になっている。前記ガイドボタン部３６内面の外縁部と前記ガイドボタン部取付け凹部４５の外縁部とを両面テープにて固着することで、前記ガイドボタン部３６が前記フロントカバー３１に固着される。
【００３０】
尚、前記肉厚部収納凹部４６ａ〜４６ｃの深さは、前記肉厚部４１ａ〜４１ｃの突出長さよりも深くなっており、前記肉厚部収納凹部４６ａ〜４６ｃの底面と前記肉厚部４１ａ〜４１ｃの先端との間に隙間が形成される様になっている。
【００３１】
又、前記ＬＣＤ基板５１にガイドスイッチ５４ａ〜５４ｃ（ガイドスイッチ５４ａ，５４ｃは図示せず）が、それぞれ前記押下部４２ａ〜４２ｃと対向する位置に実装されており、前記ケース３４が組立てられた際には、前記押下部４２ａ〜４２ｃの先端面と前記ガイドスイッチ５４ａ〜５４ｃとがそれぞれ当接又は略当接した状態で対峙する様になっている。
【００３２】
この時、前記防水パッキン４９により前記フロントカバー３１と前記シャーシ３０間の防水性が確保されると共に、又前記ガイドボタン部３６内面の外縁部と前記ガイドボタン部取付け凹部４５の外縁部とが両面テープにより接着されることで、前記ガイドボタン部３６と前記貫通孔４７ａ〜４７ｃ間の防水性が確保され、前記ケース３４内への水の浸入が防止される様になっている。
【００３３】
前記携帯無線機３３に於いて、例えば前記ＰＴＴボタン３５を押下すると、該ＰＴＴボタン３５内面と前記肉厚部３７の高さの差分だけ、前記ＰＴＴボタン３５の前記肉厚部３７の周辺部が弾性変形しながら前記フロントカバー３１側に押下され、それに伴い前記押下部３９により前記ＰＴＴスイッチ５３が押下され、該ＰＴＴスイッチ５３が動作する。
【００３４】
前記ＰＴＴボタン３５を開放すると、該ＰＴＴボタン３５が反発力により元の位置へと戻り、前記ＰＴＴスイッチ５３も又反発力により元の位置へと戻り、該ＰＴＴスイッチ５３の動作が解除される。
【００３５】
前記ガイドスイッチ５４ａ〜５４ｃも前記ＰＴＴスイッチ５３と同様に、押下すると前記肉厚部４１ａ〜４１ｃと前記肉厚部収納凹部４６ａ〜４６ｃ間の隙間分だけ、前記肉厚部４１ａ〜４１ｃの周辺部が弾性変形しながら前記フロントカバー３１側に押下され、前記押下部４２ａ〜４２ｃが前記ガイドスイッチ５４ａ〜５４ｃを押下する。
【００３６】
尚、前記肉厚部４１ａ〜４１ｃと前記肉厚部収納凹部４６ａ〜４６ｃとは、それぞれ独立して形成されているので、例えば前記ガイドボタン３６ｂを押下した際に、前記ガイドボタン３６ａ，３６ｃの周辺部が連動して弾性変形し、前記ガイドスイッチ５４ａ，５４ｃが押下されるのを防止している。
【００３７】
又、上記では、前記フロントカバー３１に予め前記ＰＴＴボタン３５と前記ガイドボタン部３６とを取付けた状態で、前記シャーシ３０と前記フロントカバー３１とを組立てているが、先ず前記シャーシ３０と前記フロントカバー３１とを組立て、前記ＰＴＴスイッチ５３と前記貫通孔４４の位置を一致させ、前記ガイドスイッチ５４ａ〜５４ｃと前記貫通孔４７ａ〜４７ｃの位置を一致させた後に、前記ＰＴＴボタン３５と前記ガイドボタン部３６とを前記フロントカバー３１に取付けてもよいのは言う迄もない。
【００３８】
上述の様に、本実施例では、内面に前記押下部３９が形成された前記ＰＴＴボタン３５を前記フロントカバー３１の外面より取付け、又内面に前記押下部４２ａ〜４２ｃが形成された前記ガイドボタン部３６を前記フロントカバー３１の外面より取付ける構造とし、前記ＰＴＴボタン３５又は前記ガイドボタン部３６が、直接前記ＰＴＴスイッチ５３又は前記ガイドスイッチ５４ａ〜５４ｃを押下する様にしたので、ボタンとスイッチ間にスイッチパッキン等の別部材を介在させる必要がなく、又ボタンカバーを必要とせず、部品点数の削減によりコストの低減を図ることができる。
【００３９】
又、部品点数を削減したことで、ボタンとスイッチの中心位置を合わせるのが容易になり、更にボタンをフロントカバーに取付ける際に超音波溶接を必要とせず、携帯無線機の組立て性を改善することができる。
【００４０】
又、前記ＰＴＴボタン３５及び前記ガイドボタン部３６をエラストマ製としたことで、前記ＰＴＴボタン３５及び前記ガイドボタン部３６自体に弾性を持たせることができ、ボタンとスイッチとの間にクッション等の弾性部材を別途設ける必要がない。
【００４１】
更に、本実施例では、前記ＰＴＴスイッチ５３及び前記ガイドスイッチ５４ａ〜５４ｃが直接前記ＬＣＤ基板５１に実装されているので、従来の携帯無線機に於けるＦＰＣや該ＦＰＣとＬＣＤ基板とを接続するコネクタ類を必要とせず、更に部品点数を削減でき、コストの低減を図ることができる。
【００４２】
尚、本実施例では、前記ＰＴＴボタン３５及び前記ガイドボタン部３６とをエラストマ単体にて成形しているが、エラストマとポリアミド等の硬度の高い硬性樹脂との２色成形としてもよい。例えば前記ガイドボタン部３６の前記ガイドボタン３６ａ〜３６ｃを硬性樹脂製とし、他の部分をエラストマ製とし、作業者が指で触れる箇所のみが硬性樹脂製となる様にすることで、従来と同様の操作感を得つつ本実施例と同様の効果を発揮することができる。
【００４３】
（付記）
又、本発明は以下の実施の態様を含む。
【００４４】
（付記１）フロントカバーとシャーシとでケースが組立てられる携帯無線機であって、前記シャーシにスイッチが実装された配線基板が設けられ、前記フロントカバーの外側側面に前記ケース内部に延出する押下部を有する弾性体のボタンが水密に取付けられ、前記押下部が前記スイッチに当接又は略当接することを特徴とする携帯無線機。
【００４５】
（付記２）前記ボタンは、操作部を硬性樹脂製とし、それ以外の箇所がエラストマ製となる様２色成形により成形された付記１の携帯無線機。
【００４６】
（付記３）前記ボタンは両面テープにより前記フロントカバーの側面に取付けられた付記１の携帯無線機。
【００４７】
（付記４）前記シャーシの全周に亘って防水パッキンを設け、前記フロントカバーと前記シャーシとの間に前記防水パッキンを介在させた付記１の携帯無線機。
【符号の説明】
【００４８】
３０            シャーシ
３１            フロントカバー
３２            電池パック
３３            携帯無線機
３４            ケース
３５            ＰＴＴボタン
３６            ガイドボタン部
３９            押下部
４２            押下部
４４            貫通孔
４７            貫通孔
５１            ＬＣＤ基板
５２            ＲＦ基板
５３            ＰＴＴスイッチ
５４            ガイドスイッチ
【図１】
2012199867.tif 000003
【図２】
2012199867.tif 000004
【図３】
2012199867.tif 000005
【図４】
2012199867.tif 000006
【図５】
2012199867.tif 000007
【図６】
2012199867.tif 000008